(57)【要約】【課題】人の派遣やテレビカメラの設置などを必要とせずに、比較的簡単、効率的、経済的に一人暮らしなどの人間の状態を適確に監視し得る電界利用監視システムを提供する。【解決手段】一人暮らしの老人などの人間１が歩行する床５に複数の電極７を設けるとともに、人体に誘起される電界を利用したトランシーバを有する携帯端末３を人間１の体に近接または密接して設け、この携帯端末３から被検知用信号に基づいた電界を人間１の体に誘起させ、この電界を電極７を介してトランシーバ付き小型情報端末９で検知して検知電気信号としてパソコン１１に出力し、パソコン１１がこの検知電気信号を分析して人間の状態を判断する。【選択図】      図１
2005004383.tif 000002
【特許請求の範囲】
【請求項１】
人体に誘起される電界を利用して人間の状態を監視する電界利用監視システムであって、
人間が歩行した場合に人間の足が密接または近接するように歩行面に設けられた複数の電極と、
人間の体に密接または近接して携帯され、所定の被検知用信号を人体を介して伝達させるべく該所定の被検知用信号に基づく電界を人体に誘起させる小型情報端末付きトランシーバと、
前記複数の電極に接続され、前記小型情報端末付きトランシーバを携帯した人間が前記歩行面上に存在することで、その人体が前記電極に密接または近接した場合に、小型情報端末付きトランシーバから人体を介して伝達されてくる前記所定の被検知用信号に基づく電界を前記電極を介して人体から検知して検知電気信号として生成し、この検知電気信号を出力する電極側トランシーバ手段と、
この電極側トランシーバ手段から出力される検知電気信号を受信し、この検知電気信号を分析して前記人間の状態を判断するデータ処理手段と
を有することを特徴とする電界利用監視システム。
【請求項２】
人体に誘起される電界を利用して人間の状態を監視する電界利用監視システムであって、
人間が歩行した場合に人間の足が密接または近接するように歩行面に設けられた複数の電極と、
人間の体に密接または近接して携帯され、人体を伝達されてくる電界を検知して電気信号として生成処理するとともに、電気信号を人体を介して伝達すべく該電気信号に基づく電界を人体に誘起する小型情報端末付きトランシーバと、
前記複数の電極に接続され、各電極に所定の探査用信号を供給し、前記小型情報端末付きトランシーバを携帯した人間が前記歩行面上に存在することで、その人体が前記電極に密接または近接した場合に、小型情報端末付きトランシーバが該電極を介して人体に誘起され伝達されてくる前記所定の探査用信号に基づく電界を検知して被検知用信号として生成処理し、この被検知用信号に基づく電界を人体に誘起させることにより人体を介して伝達されてくる当該被検知用信号に基づく電界を前記電極を介して人体から検知して検知電気信号として出力する電極側トランシーバ手段と、
この電極側トランシーバ手段から出力される前記検知電気信号を受信し、この検知電気信号を分析して前記人間の状態を判断するデータ処理手段と
を有することを特徴とする電界利用監視システム。
【請求項３】
前記電極側トランシーバ手段は、前記被検知用信号に基づく電界を電極を介して人体から検知して検知電気信号として生成または出力する場合の該電極を識別する電極識別手段と、この識別した電極の識別情報を前記検知電気信号とともに出力する電極情報出力手段とを有し、
前記データ処理手段は、前記電極側トランシーバから出力される電極の識別情報と検知電気信号に基づき人間の状態を判断する手段
を有することを特徴とする請求項１または２記載の電界利用監視システム。
【請求項４】
前記小型情報端末付きトランシーバおよび各電極は、それぞれ自身を一意に識別し得るトランシーバ識別情報および電極識別情報を付与されていて、
前記小型情報端末付きトランシーバは、前記被検知用信号を人体を介して伝達すべく該被検知用信号に基づく電界を人体に誘起させるに当っては、自身のトランシーバ識別情報も被検知用信号とともに人体を介して伝達すべく被検知用信号およびトランシーバ識別情報に基づく電界を人体に誘起させるトランシーバ識別情報伝達手段を有し、
前記電極側トランシーバ手段は、前記電極を介して前記被検知用信号に基づく電界を検知する場合、該被検知用信号とともにトランシーバ識別情報も検知するとともに、該電界を検知した電極を識別する電極識別情報を取得し、この取得した電極識別情報およびトランシーバ識別情報を前記検知電気信号とともに出力する識別情報取得手段を有し、
前記データ処理手段は、前記電極側トランシーバ手段から出力される検知電気信号を前記電極識別情報およびトランシーバ識別情報とともに受信し、この検知電気信号、電極識別情報およびトランシーバ識別情報に基づき人間の状態を判断する識別情報考慮手段
を有することを特徴とする請求項１または２記載の電界利用監視システム。
【請求項５】
前記小型情報端末付きトランシーバは、自身に付与されたトランシーバ識別情報を保存するトランシーバ識別情報保存手段を有し、前記電極側トランシーバまたは前記データ処理手段は、各電極に付与された電極識別情報を保存する電極識別情報保存手段を有することを特徴とする請求項４記載の電界利用監視システム。
【請求項６】
人体に誘起される電界を利用して人間の状態を監視する電界利用監視システムであって、
人間が生活しながら利用することにより該人間の体が密接または近接する接触部の表面に設けられた１個以上の電極と、
人間の体に密接または近接して携帯され、所定の被検知用信号を人体を介して伝達させるべく該所定の被検知用信号に基づく電界を人体に誘起させる小型情報端末付きトランシーバと、
前記電極に接続され、前記小型情報端末付きトランシーバを携帯した人間が前記接触部の表面に密接または近接することで、その人体が前記電極に密接または近接した場合に、小型情報端末付きトランシーバから人体を介して伝達されてくる前記所定の被検知用信号に基づく電界を前記電極を介して人体から検知して検知電気信号として生成し、この検知電気信号を出力する電極側トランシーバ手段と、
この電極側トランシーバ手段から出力される検知電気信号を受信し、この検知電気信号を分析して前記人間の状態を判断するデータ処理手段と
を有することを特徴とする電界利用監視システム。
【請求項７】
人体に誘起される電界を利用して人間の状態を監視する電界利用監視システムであって、
人間が生活しながら利用することにより該人間の体が密接または近接する接触部の表面に設けられた１個以上の電極と、
人間の体に密接または近接して携帯され、人体を伝達されてくる電界を検知して電気信号として生成処理するとともに、電気信号を人体を介して伝達すべく該電気信号に基づく電界を人体に誘起する小型情報端末付きトランシーバと、
前記電極に接続され、該電極に所定の探査用信号を供給し、前記小型情報端末付きトランシーバを携帯した人間が前記接触部の表面に密接または近接することで、その人体が前記電極に密接または近接した場合に、小型情報端末付きトランシーバが該電極を介して人体に誘起され伝達されてくる前記所定の探査用信号に基づく電界を検知して被検知用信号として生成処理し、この被検知用信号に基づく電界を人体に誘起させることにより人体を介して伝達されてくる当該被検知用信号に基づく電界を前記電極を介して人体から検知して検知電気信号として出力する電極側トランシーバ手段と、
この電極側トランシーバ手段から出力される前記検知電気信号を受信し、この検知電気信号を分析して前記人間の状態を判断するデータ処理手段と
を有することを特徴とする電界利用監視システム。
【請求項８】
前記電極側トランシーバ手段は、前記被検知用信号に基づく電界を電極を介して人体から検知して検知電気信号として生成または出力する場合の該電極を識別する電極識別手段と、この識別した電極の識別情報を前記検知電気信号とともに出力する電極情報出力手段とを有し、
前記データ処理手段は、前記電極側トランシーバから出力される電極の識別情報と検知電気信号に基づき人間の状態を判断する手段
を有することを特徴とする請求項６または７記載の電界利用監視システム。
【請求項９】
前記人体からの生体情報を検知すべく人体に密接または近接するように前記小型情報端末付きトランシーバまたは前記電極側トランシーバに接続して設けられた生体センサを有し、
前記データ処理手段は、
前記電極側トランシーバを介してまたは該電極側トランシーバおよび小型情報端末付きトランシーバを介して前記生体センサから生体情報を取得する生体情報取得手段と、
この取得した生体情報に基づいて前記人間の状態を詳しく判断する精査手段とを有することを特徴とする請求項１乃至８のいずれか１項に記載の電界利用監視システム。
【請求項１０】
前記データ処理手段は、通信回線を介して所定の通知先に接続されていて、前記判断された人間の状態に関する情報を前記通知先に通知する通知手段を有することを特徴とする請求項１乃至９のいずれか１項に記載の電界利用監視システム。
【請求項１１】
前記所定の通知先は、管理センタ、病院・警察のデータ処理端末、介護・セキュリティセンタおよび隣人、知人、親戚などの携帯電話の少なくとも１つ以上であることを特徴とする請求項１０記載の電界利用監視システム。
【請求項１２】
前記歩行面は、床の表面または絨毯の表面であることを特徴とする請求項１乃至５のいずれか１項に記載の電界利用監視システム。
【請求項１３】
前記接触部は、ベッド用パッド、敷布団、敷布、座布団、椅子、便座または便座用カバーであることを特徴とする請求項６または７記載の電界利用監視システム。
【請求項１４】
前記人体からの生体情報を検知すべく人体に密接または近接する生体センサを備え、この生体センサで検知した生体情報を無線で送信する生体センサ付き無線トランシーバを更に有し、
前記小型情報端末付きトランシーバは、
前記生体センサ付き無線トランシーバから無線で送信される生体情報を受信する無線トランシーバと、
この無線トランシーバで受信した生体情報を人体を介して伝送すべく電界として人体に誘起させる生体情報伝送手段とを更に有し、
前記データ処理手段は、
前記生体センサ付き無線トランシーバの生体情報伝送手段から電界として送信されてくる生体情報を前記電極側トランシーバを介して受信する生体情報受信手段と、
この取得した生体情報に基づいて前記人間の状態を詳しく判断する精査手段とを有する
ことを特徴とする請求項１乃至８のいずれか１項に記載の電界利用監視システム。
【請求項１５】
前記人体からの生体情報を検知すべく人体に密接または近接する生体センサを備え、この生体センサで検知した生体情報を人体を介して電界として伝送する生体センサ付き人体通信用トランシーバを更に有し、
前記小型情報端末付きトランシーバは、
前記生体センサ付き人体通信用トランシーバから電界として伝送される生体情報を受信し、この受信した生体情報を人体を介して更に伝送すべく電界として人体に誘起させる生体情報伝送手段を更に有し、
前記データ処理手段は、
前記小型情報端末付きトランシーバの生体情報伝送手段から電界として伝送されてくる生体情報を前記電極側トランシーバを介して受信する生体情報受信手段と、
この取得した生体情報に基づいて前記人間の状態を詳しく判断する精査手段とを有する
ことを特徴とする請求項１乃至８のいずれか１項に記載の電界利用監視システム。
【発明の詳細な説明】
【０００１】
【発明の属する技術分野】
本発明は、人体に誘起される電界を利用して人間の状態を監視する電界利用監視システムに関し、更に詳しくは、レーザ光と電気光学結晶を用いた電気光学的手法により検知し得る電界を利用して、例えば一人暮らしの老人などの生活状態や健康状態を監視する電界利用監視システムに関する。
【０００２】
【従来の技術】
高齢化社会の伸展、都会への若者の進出による地方での過疎化などにより、一人暮らしの老人が増加しつつあり、このような一人暮らしの老人の健康状態などを適宜観察したり、身の回りの世話をしたり、介護したり、必要により医者を派遣したり、病院に入院させるというような介護サービスが重要な課題となっている。
【０００３】
このような一人暮らしの老人に対する介護サービスとして、従来は、一人暮らしの老人の各家庭に介護センタから人を例えば週に１回や２〜３回程度、派遣して、老人の健康状態や生活状態を観察したり、簡単な身の回りの世話をするなどのことが行われている（例えば、非特許文献１参照）。
【０００４】
このような介護センタから人を派遣する代わりに、一人暮らしの老人の各家庭にテレビカメラを設置し、このテレビカメラで老人の生活状態や健康状態などを観察することも可能である。このテレビカメラを一人暮らしの老人の各家庭に設置する場合には、老人が生活する寝室、厨房、居間などの各部屋にテレビカメラを設置し、この複数のテレビカメラで撮影した老人の画像を通信回線を介して介護センタなどに伝送し、この伝送されてきた老人の画像を介護センタで人が常時観察することが必要である。
【０００５】
【非特許文献１】
ｈｔｔｐ：／／ｗｗｗ．ｚｅｎｒｏｓａｉ．ｏｒ．ｊｐ／ｓｅｉｋａｔｓｕ／ｋａｉｇｏ．ａｓｐ
【０００６】
【発明が解決しようとする課題】
上述したように、一人暮らしの老人に対する介護サービスは、従来、介護センタから人を派遣して、老人の健康状態や生活状態を観察したり、簡単な身の回りの世話をするなどのことが行われているが、このような人の派遣は、毎日、１日中、行われているものでなく、例えば週に１回や２〜３回程度行われているものであるため、この間に老人の健康状態が悪くなって、例えば倒れてしまうなどのことがあった場合には、このような状況を迅速に把握することができず、老人が非常に危険な状態に陥ってしまうという問題がある。
【０００７】
また、介護センタから人を派遣するということは、一人暮らしの老人の数が少ないような場合には、十分な介護を行うことができるが、高齢化社会が更に進んだ場合には、派遣する人の人数や資質の問題、更には経済的な問題などにより十分な介護サービスを行うことができなくなるという恐れがある。
【０００８】
更に、上述したように、一人暮らしの老人の各家庭にテレビカメラを設置する方法は、老人が生活する寝室、厨房、居間などの各部屋にテレビカメラを設置し、この複数のテレビカメラで撮影した老人の画像を通信回線を介して介護センタなどに伝送し、この伝送されてきた老人の画像を介護センタで人が常時観察することが必要であり、非常に高価なシステムが必要となるという問題があるとともに、また介護センタでは、伝送されてきた老人の画像を常時、人が観察しなければならず、このような観察を行う人材の確保にも一人暮らしの老人が増えてきた場合には経済的、空間的、資質的な問題が発生する恐れがある。
【０００９】
本発明は、上記に鑑みてなされたもので、その目的とするところは、人の派遣やテレビカメラの設置などを必要とせずに、比較的簡単、効率的、経済的に一人暮らしなどの人間の状態を適確に監視し得る電界利用監視システムを提供することにある。
【００１０】
【課題を解決するための手段】
上記目的を達成するため、請求項１記載の本発明は、人体に誘起される電界を利用して人間の状態を監視する電界利用監視システムであって、人間が歩行した場合に人間の足が密接または近接するように歩行面に設けられた複数の電極と、人間の体に密接または近接して携帯され、所定の被検知用信号を人体を介して伝達させるべく該所定の被検知用信号に基づく電界を人体に誘起させる小型情報端末付きトランシーバと、前記複数の電極に接続され、前記小型情報端末付きトランシーバを携帯した人間が前記歩行面上に存在することで、その人体が前記電極に密接または近接した場合に、小型情報端末付きトランシーバから人体を介して伝達されてくる前記所定の被検知用信号に基づく電界を前記電極を介して人体から検知して検知電気信号として生成し、この検知電気信号を出力する電極側トランシーバ手段と、この電極側トランシーバ手段から出力される検知電気信号を受信し、この検知電気信号を分析して前記人間の状態を判断するデータ処理手段とを有することを要旨とする。
【００１１】
請求項１記載の本発明にあっては、歩行面に複数の電極を設け、人間の体に近接または密接して設けた小型情報端末付きトランシーバから被検知用信号に基づいて人体に誘起させた電界を電極を介して電極側トランシーバ手段で検知電気信号として検知し、この検知電気信号を分析して人間の状態を判断しているため、例えば一人暮らしの老人などが倒れていないかなどの状態を適確に判断することができ、従来、このような一人暮らしの老人を介護するような場合において介護センタから人をいちいち派遣して、その健康状態を確認するようなことが必要なくなるだけでなく、２４時間を監視でき、異常があった場合には、必要な通知先に迅速に通知することができるし、またテレビカメラを使用するような場合に比較して、非常に経済的に実施することができ、また撮像されてきた画像を例えば２４時間監視するような人材の確保も必要なくなり、経済的、空間的、資質的な問題もなくなる。
【００１２】
また、請求項２記載の本発明は、人体に誘起される電界を利用して人間の状態を監視する電界利用監視システムであって、人間が歩行した場合に人間の足が密接または近接するように歩行面に設けられた複数の電極と、人間の体に密接または近接して携帯され、人体を伝達されてくる電界を検知して電気信号として生成処理するとともに、電気信号を人体を介して伝達すべく該電気信号に基づく電界を人体に誘起する小型情報端末付きトランシーバと、前記複数の電極に接続され、各電極に所定の探査用信号を供給し、前記小型情報端末付きトランシーバを携帯した人間が前記歩行面上に存在することで、その人体が前記電極に密接または近接した場合に、小型情報端末付きトランシーバが該電極を介して人体に誘起され伝達されてくる前記所定の探査用信号に基づく電界を検知して被検知用信号として生成処理し、この被検知用信号に基づく電界を人体に誘起させることにより人体を介して伝達されてくる当該被検知用信号に基づく電界を前記電極を介して人体から検知して検知電気信号として出力する電極側トランシーバ手段と、この電極側トランシーバ手段から出力される前記検知電気信号を受信し、この検知電気信号を分析して前記人間の状態を判断するデータ処理手段とを有することを要旨とする。
【００１３】
請求項２記載の本発明にあっては、歩行面に複数の電極を設けるとともに人間の体に近接または密接して小型情報端末付きトランシーバを設け、電極側トランシーバ手段から電極に探査用信号を供給し、人間が歩行面上にいて人体が電極に密接または近接した場合に人間に携帯の小型情報端末付きトランシーバが電極を介して人体に誘起され伝達されてくる探査用信号に基づく電界を検知して被検知用信号として生成処理し、この被検知用信号に基づく電界を人体に誘起させると、この人体を介して伝達されてくる被検知用信号に基づく電界が電極側トランシーバ手段で電極を介して人体から検知されて検知電気信号として出力され、この検知電気信号を分析することにより人間の状態を判断するため、例えば一人暮らしの老人などが倒れていないかなどの状態を適確に判断することができ、従来、このような一人暮らしの老人を介護するような場合において介護センタから人をいちいち派遣して、その健康状態を確認するようなことが必要なくなるだけでなく、２４時間監視でき、異常があった場合には、必要な通知先に迅速に通知することができるし、またテレビカメラを使用するような場合に比較して、非常に経済的に実施することができ、また撮像されてきた画像を例えば２４時間監視するような人材の確保も必要なくなり、経済的、空間的、資質的な問題もなくなる。
【００１４】
更に、請求項３記載の本発明は、請求項１または２記載の発明において、前記電極側トランシーバ手段が、前記被検知用信号に基づく電界を電極を介して人体から検知して検知電気信号として生成または出力する場合の該電極を識別する電極識別手段と、この識別した電極の識別情報を前記検知電気信号とともに出力する電極情報出力手段とを有し、前記データ処理手段が、前記電極側トランシーバから出力される電極の識別情報と検知電気信号に基づき人間の状態を判断する手段を有することを要旨とする。
【００１５】
請求項３記載の本発明にあっては、被検知用信号に基づく電界を検知した電極を識別することができ、この電極の識別情報と検知電気信号に基づいて人間の状態を判断するため、例えば２個以上の電極からの識別情報を検知電気信号とともに受信した場合には、例えば一人暮らしの老人が床などに倒れているなどと適確に判断でき、このような異常状態を必要により管理センタや介護・セキュリティセンタなどの通知先に迅速に通知し、必要な処置を迅速に行うことができるし、また人間が歩行している場合には、その方向を読み取ることも可能である。
【００１６】
請求項４記載の本発明は、請求項１または２記載の発明において、前記小型情報端末付きトランシーバおよび各電極が、それぞれ自身を一意に識別し得るトランシーバ識別情報および電極識別情報を付与されていて、前記小型情報端末付きトランシーバが、前記被検知用信号を人体を介して伝達すべく該被検知用信号に基づく電界を人体に誘起させるに当っては、自身のトランシーバ識別情報も被検知用信号とともに人体を介して伝達すべく被検知用信号およびトランシーバ識別情報に基づく電界を人体に誘起させるトランシーバ識別情報伝達手段を有し、前記電極側トランシーバ手段が、前記電極を介して前記被検知用信号に基づく電界を検知する場合、該被検知用信号とともにトランシーバ識別情報も検知するとともに、該電界を検知した電極を識別する電極識別情報を取得し、この取得した電極識別情報およびトランシーバ識別情報を前記検知電気信号とともに出力する識別情報取得手段を有し、前記データ処理手段が、前記電極側トランシーバ手段から出力される検知電気信号を前記電極識別情報およびトランシーバ識別情報とともに受信し、この検知電気信号、電極識別情報およびトランシーバ識別情報に基づき人間の状態を判断する識別情報考慮手段を有することを要旨とする。
【００１７】
請求項４記載の本発明にあっては、人間が携帯している小型情報端末付きトランシーバの識別情報および被検知用信号に基づく電界を検知した場合の電極の識別情報を取得することができ、この小型情報端末付きトランシーバの識別情報、電極の識別情報および検知電気信号に基づいて人間の状態を判断するため、例えば２個以上の電極からの識別情報を検知電気信号とともに受信した場合には、例えば一人暮らしの老人が床などに倒れているなどと適確に判断でき、このような異常状態を必要により管理センタや介護・セキュリティセンタなどの通知先に迅速に通知し、必要な処置を迅速に行うことができるし、更に人間に携帯される小型情報端末付きトランシーバの識別情報から二人以上の人間を識別し得ることにより、例えば二人暮らしの老人であって、一人が寝たきりで、もう一人が介護しているような場合に、この介護している老人が倒れてしまったにも関わらず、寝たきりの老人はこれを知らないかまたは管理センタなどに通報できないような異常な状態をも適確に判断でき、必要により管理センタや介護・セキュリティセンタなどに通報して、必要な処置を迅速に行うことができるし、また人間が歩行している場合には、その方向を読み取ることも可能である。
【００１８】
また、請求項５記載の本発明は、請求項４記載の発明において、前記小型情報端末付きトランシーバが、自身に付与されたトランシーバ識別情報を保存するトランシーバ識別情報保存手段を有し、前記電極側トランシーバまたは前記データ処理手段は、各電極に付与された電極識別情報を保存する電極識別情報保存手段を有することを要旨とする。
【００１９】
更に、請求項６記載の本発明は、人体に誘起される電界を利用して人間の状態を監視する電界利用監視システムであって、人間が生活しながら利用することにより該人間の体が密接または近接する接触部の表面に設けられた１個以上の電極と、人間の体に密接または近接して携帯され、所定の被検知用信号を人体を介して伝達させるべく該所定の被検知用信号に基づく電界を人体に誘起させる小型情報端末付きトランシーバと、前記電極に接続され、前記小型情報端末付きトランシーバを携帯した人間が前記接触部の表面に密接または近接することで、その人体が前記電極に密接または近接した場合に、小型情報端末付きトランシーバから人体を介して伝達されてくる前記所定の被検知用信号に基づく電界を前記電極を介して人体から検知して検知電気信号として生成し、この検知電気信号を出力する電極側トランシーバ手段と、この電極側トランシーバ手段から出力される検知電気信号を受信し、この検知電気信号を分析して前記人間の状態を判断するデータ処理手段とを有することを要旨とする。
【００２０】
請求項６記載の本発明にあっては、人間が生活する場合に人体が密接または近接する接触部の表面に１個以上の電極を設け、人間の体に近接または密接して設けた小型情報端末付きトランシーバから被検知用信号に基づいて人体に誘起させた電界を電極を介して電極側トランシーバ手段で検知電気信号として検知し、この検知電気信号を分析して人間の状態を判断しているため、例えば一人暮らしの老人がベッドやトイレなどに入ったり使用したという老人の生活状態や動作状態などの状態を適確に判断でき、従来、このような老人を介護するような場合において介護センタから人をいちいち派遣して、その健康状態を確認するようなことが必要なくなるだけでなく、２４時間を監視でき、異常があった場合には、必要な通知先に迅速に通知することができるし、またテレビカメラを使用するような場合に比較して、非常に経済的に実施することができ、また撮像されてきた画像を例えば２４時間監視するような人材の確保も必要なくなり、経済的、空間的、資質的な問題もなくなる。
【００２１】
請求項７記載の本発明は、人体に誘起される電界を利用して人間の状態を監視する電界利用監視システムであって、人間が生活しながら利用することにより該人間の体が密接または近接する接触部の表面に設けられた１個以上の電極と、人間の体に密接または近接して携帯され、人体を伝達されてくる電界を検知して電気信号として生成処理するとともに、電気信号を人体を介して伝達すべく該電気信号に基づく電界を人体に誘起する小型情報端末付きトランシーバと、前記電極に接続され、該電極に所定の探査用信号を供給し、前記小型情報端末付きトランシーバを携帯した人間が前記接触部の表面に密接または近接することで、その人体が前記電極に密接または近接した場合に、小型情報端末付きトランシーバが該電極を介して人体に誘起され伝達されてくる前記所定の探査用信号に基づく電界を検知して被検知用信号として生成処理し、この被検知用信号に基づく電界を人体に誘起させることにより人体を介して伝達されてくる当該被検知用信号に基づく電界を前記電極を介して人体から検知して検知電気信号として出力する電極側トランシーバ手段と、この電極側トランシーバ手段から出力される前記検知電気信号を受信し、この検知電気信号を分析して前記人間の状態を判断するデータ処理手段とを有することを要旨とする。
【００２２】
請求項７記載の本発明にあっては、人間が生活する場合に人体が密接または近接する接触部の表面に１個以上の電極を設け、電極側トランシーバ手段から電極に探査用信号を供給し、人体が接触部の表面の電極に密接または近接した場合に人間に携帯の小型情報端末付きトランシーバが電極を介して人体に誘起され伝達されてくる探査用信号に基づく電界を検知して被検知用信号として生成処理し、この被検知用信号に基づく電界を人体に誘起させると、この人体を介して伝達されてくる被検知用信号に基づく電界が電極側トランシーバ手段で電極を介して人体から検知されて検知電気信号として出力され、この検知電気信号を分析することにより人間の状態を判断するため、例えば一人暮らしの老人がベッドやトイレなどに入ったり使用したという老人の生活状態や動作状態などの状態を適確に判断でき、従来、このような老人を介護するような場合において介護センタから人をいちいち派遣して、その健康状態を確認するようなことが必要なくなるだけでなく、２４時間監視でき、異常があった場合には、必要な通知先に迅速に通知することができるし、またテレビカメラを使用するような場合に比較して、非常に経済的に実施することができ、また撮像されてきた画像を例えば２４時間監視するような人材の確保も必要なくなり、経済的、空間的、資質的な問題もなくなる。
【００２３】
また、請求項８記載の本発明は、請求項６または７記載の発明において、前記電極側トランシーバ手段が、前記被検知用信号に基づく電界を電極を介して人体から検知して検知電気信号として生成または出力する場合の該電極を識別する電極識別手段と、この識別した電極の識別情報を前記検知電気信号とともに出力する電極情報出力手段とを有し、前記データ処理手段が、前記電極側トランシーバから出力される電極の識別情報と検知電気信号に基づき人間の状態を判断する手段を有することを要旨とする。
【００２４】
請求項８記載の本発明にあっては、被検知用信号に基づく電界を検知した電極を識別することができ、この電極の識別情報と検知電気信号に基づいて人間の状態を判断するため、例えば一人暮らしの老人が使用した接触部が例えばベッドであるのかまたはトイレであるのかなどを適確に識別できる。
【００２５】
更に、請求項９記載の本発明は、請求項１乃至８のいずれか１項に記載の発明において、前記人体からの生体情報を検知すべく人体に密接または近接するように前記小型情報端末付きトランシーバまたは前記電極側トランシーバに接続して設けられた生体センサを有し、前記データ処理手段が、前記電極側トランシーバを介してまたは該電極側トランシーバおよび小型情報端末付きトランシーバを介して前記生体センサから生体情報を取得する生体情報取得手段と、この取得した生体情報に基づいて前記人間の状態を詳しく判断する精査手段とを有することを要旨とする。
【００２６】
請求項９記載の本発明にあっては、生体センサにより人間の生体情報を取得でき、この生体情報に基づいて人間の状態を更に詳しく判断するため、生体情報として、例えば体温、脈拍、血圧、血流などを取得でき、このような生体情報に基づいて人間が危険な状態にあるか否かを適確に判断することができ、管理センタなどへの通報もその危険度に応じて迅速かつ適確に行うことができる。
【００２７】
請求項１０記載の本発明は、請求項１乃至９のいずれか１項に記載の発明において、前記データ処理手段が、通信回線を介して所定の通知先に接続されていて、前記判断された人間の状態に関する情報を前記通知先に通知する通知手段を有することを要旨とする。
【００２８】
請求項１０記載の本発明にあっては、データ処理手段は、通信回線を介して所定の通知先に人間の状態に関する情報を通知できるため、例えば一人暮らしの老人などに異常事態が発生した場合には、例えば管理センタ、病院・警察、介護・セキュリティセンタや隣人、知人、親戚などの携帯電話などの必要な通知先に迅速に通知することができる。
【００２９】
また、請求項１１記載の本発明は、請求項１０記載の発明において、前記所定の通知先が、管理センタ、病院・警察のデータ処理端末、介護・セキュリティセンタおよび隣人、知人、親戚などの携帯電話の少なくとも１つ以上であることを要旨とする。
【００３０】
更に、請求項１２記載の本発明は、請求項１乃至５のいずれか１項に記載の発明において、前記歩行面が、床の表面または絨毯の表面であることを要旨とする。
【００３１】
請求項１３記載の本発明は、請求項６または７記載の発明において、前記接触部が、ベッド用パッド、敷布団、敷布、座布団、椅子、便座または便座用カバーであることを要旨とする。
【００３２】
また、請求項１４記載の本発明は、請求項１乃至８のいずれか１項に記載の発明において、前記人体からの生体情報を検知すべく人体に密接または近接する生体センサを備え、この生体センサで検知した生体情報を無線で送信する生体センサ付き無線トランシーバを有し、前記小型情報端末付きトランシーバが、前記生体センサ付き無線トランシーバから無線で送信される生体情報を受信する無線トランシーバと、この無線トランシーバで受信した生体情報を人体を介して伝送すべく電界として人体に誘起させる生体情報伝送手段とを有し、前記データ処理手段が、前記生体センサ付き無線トランシーバの生体情報伝送手段から電界として送信されてくる生体情報を前記電極側トランシーバを介して受信する生体情報受信手段と、この取得した生体情報に基づいて前記人間の状態を詳しく判断する精査手段とを有することを要旨とする。
【００３３】
請求項１４記載の本発明にあっては、生体センサ付き無線トランシーバで検知した生体情報を小型情報端末付きトランシーバを介してデータ処理手段に送信することにより生体情報に基づいて人間の状態を更に詳しく判断するため、小型情報端末付きトランシーバとは別に比較的小型化し得る生体センサ付き無線トランシーバで生体情報を検知できるという点において生体センサ付き無線トランシーバを例えば頭部、胸部、腕、首などの任意の部位に人体に負担をかけることなく取り付けることができ、生体情報を得やすくなるとともに、生体情報として例えば体温、脈拍、血圧、血流、脳波などを取得でき、このような生体情報に基づいて人間が危険な状態にあるか否かを適確に判断することができ、管理センタなどへの通報もその危険度に応じて迅速かつ適確に行うことができる。
【００３４】
更に、請求項１５記載の本発明は、請求項１乃至８のいずれか１項に記載の発明において、前記人体からの生体情報を検知すべく人体に密接または近接する生体センサを備え、この生体センサで検知した生体情報を人体を介して電界として伝送で送信する生体センサ付き人体通信用トランシーバを有し、前記小型情報端末付きトランシーバが、前記生体センサ付き人体通信用トランシーバから電界として伝送される生体情報を受信し、この受信した生体情報を人体を介して更に伝送すべく電界として人体に誘起させる生体情報伝送手段を有し、前記データ処理手段が、前記小型情報端末付きトランシーバの生体情報伝送手段から電界として送信されてくる生体情報を前記電極側トランシーバを介して受信する生体情報受信手段と、この取得した生体情報に基づいて前記人間の状態を詳しく判断する精査手段とを有することを要旨とする。
【００３５】
請求項１５記載の本発明にあっては、生体センサ付き人体通信用トランシーバで検知した生体情報を小型情報端末付きトランシーバを介してデータ処理手段に送信することにより生体情報に基づいて人間の状態を更に詳しく判断するため、小型情報端末付きトランシーバとは別に比較的小型化し得る生体センサ付き人体通信用トランシーバで生体情報を検知できるという点において生体センサ付き人体通信用トランシーバを人体の例えば頭部、胸部、腕、首などの任意の部位に人体に負担をかけることなく取り付けることができ、生体情報を得やすくなるとともに、生体情報として例えば体温、脈拍、血圧、血流、脳波などを取得でき、このような生体情報に基づいて人間が危険な状態にあるか否かを適確に判断することができ、管理センタなどへの通報もその危険度に応じて迅速かつ適確に行うことができる。
【００３６】
【発明の実施の形態】
以下、図面を用いて本発明の実施の形態を説明する。図１は、本発明の一実施形態に係る電界利用監視システムの構成を示す図である。同図に示す電界利用監視システムは、例えば一人暮らしの老人である人間１（１ａ，１ｂ）に対して電界を利用して人間の状態を監視し得る携帯端末３（３ａ，３ｂ）を携帯させ、この携帯端末３により人間１の健康状態、生活状態などの状態を監視するようになっている。
【００３７】
携帯端末３は、人間１の体に密接または近接して設けられることにより、人体に電界を誘起し、この誘起した電界を用いて信号の送受信を行うものであり、図２に示すように、小型情報端末４１、生体センサ４３およびトランシーバ３１から構成され、小型情報端末４１および生体センサ４３からの信号を電界としてトランシーバ３１を介して人体に誘起して人体の他の部位に伝達したり、また人体を介して伝達されてくる電界をレーザ光と電気光学結晶を用いた電気光学的手法により検知して電気信号として出力し、小型情報端末４１に供給する。なお、携帯端末３は、本発明の小型情報端末付きトランシーバを構成するものである。
【００３８】
携帯端末３を構成するトランシーバ３１は、図２に示すように、小型情報端末４１からの信号を入出力（Ｉ／Ｏ）回路３２を介して受け取ると、この信号を送信回路３３を介して送受信電極３４に供給し、該送受信電極３４から絶縁膜３５を介して人体１ｘ、すなわち人間１の体１ｘに電界を誘起させ、この電界を人体を介して人体の他の部位に伝達させる。
【００３９】
また、トランシーバ３１は、人体の他の部位から人体に誘起させられて伝達されてくる電界を絶縁膜３５を介して送受信電極３４で受け取り、この電界を電界検出光学部３６に結合して電気信号に変換する。この電気信号は、信号処理回路３７で増幅、雑音除去などの信号処理を施され、更に波形整形回路３８で波形整形などを施され、入出力回路３２を介して小型情報端末４１に出力されるようになっている。
【００４０】
小型情報端末４１は、必要により生体センサ４３を起動して、生体センサ４３から生体情報を取得し、この取得した生体情報をトランシーバ３１を介して送信するようにもなっている。すなわち、生体センサ４３は、人間１の人体の所定の部位に密接または近接して設けられ、これにより人体の所定の部位から得られる例えば体温、脈拍、血圧、血流などの生体情報を検知し、小型情報端末４１に供給するようになっている。
【００４１】
トランシーバ３１を構成する前記電界検出光学部３６は、人体に誘起されて伝達され、絶縁膜３５、送受信電極３４を介して結合される電界をレーザ光と電気光学結晶を用いた電気光学的手法により検知し、電気信号に変換して信号処理回路３７に出力するように機能するものであり、図３に示すように、レーザダイオード６１および電気光学結晶からなる電気光学素子６７を有する。電気光学素子６７は、レーザダイオード６１からのレーザ光の進行方向に対して例えば直角方向に結合される電界にのみ感度を有し、この電界強度によって光学特性、すなわち複屈折率が変化し、この複屈折率の変化によりレーザ光の偏光が変化するようになっている。
【００４２】
電気光学素子６７の図上で上下方向に対向する両側面には第１および第２の電極６９，７１が設けられ、第１の電極６９には前記送受信電極３４が接続され、第２の電極７１にはグランド電極７３が接続されている。送受信電極３４は、人体に誘起されて伝達されてくる電界を検知すると、この電界を第１の電極６９に伝達し、第１の電極６９を介して電気光学素子６７に結合するようになっている。
【００４３】
レーザダイオード６１から出力されるレーザ光は、コリメートレンズ６３を介して平行光にされ、平行光となったレーザ光は第１の波長板６５で偏光状態を調整されて電気光学素子６７に入射する。電気光学素子６７に入射したレーザ光は、電気光学素子６７内で第１、第２の電極６９，７１の間を伝播するが、このレーザ光の伝播中において送受信電極３４が人体に誘起されて伝達されてくる電界を検出し、この電界を第１の電極６９を介して電気光学素子６７に結合すると、この電界は第１の電極６９からグランド電極７３に接続されている第２の電極７１に向かって形成され、レーザダイオード６１から電気光学素子６７に入射したレーザ光の進行方向に直角であるため、電気光学素子６７の光学特性である複屈折率が変化し、これによりレーザ光の偏光が変化する。
【００４４】
このように電気光学素子６７において第１の電極６９からの電界によって偏光が変化したレーザ光は、第２の波長板７５で偏光状態を調整されて偏光ビームスプリッタ７７に入射する。偏光ビームスプリッタ７７は、第２の波長板７５から入射されたレーザ光をＰ波およびＳ波に分離して、光の強度変化に変換する。この偏光ビームスプリッタ７７でＰ波成分およびＳ波成分に分離されたレーザ光は、それぞれ第１、第２の集光レンズ７９ａ，７９ｂで集光されてから、第１、第２のフォトダイオード８１ａ，８１ｂに供給され、第１、第２のフォトダイオード８１ａ，８１ｂにおいてＰ波光信号とＳ波光信号をそれぞれの電気信号に変換して出力する。
【００４５】
第１、第２のフォトダイオード８１ａ，８１ｂから出力される電気信号は、トランシーバ３１の信号処理回路３７で増幅、雑音除去などの信号処理を施され、信号整形回路３８で波形整形されてから、入出力回路３２を介して小型情報端末４１に供給される。
【００４６】
図１に戻って、上述したように小型情報端末４１および生体センサ４３を備えて構成される携帯端末３を例えば一人暮らしの老人などの人間１の体に密接または近接するように携帯させると、この人間１の動作状態、生活状態、ひいては健康状態などの人間１の状態を携帯端末３を介して取得することができる。
【００４７】
すなわち、図１に示すように、人間１が生活する例えば部屋の歩行面である床５の表面に複数の電極７を携帯端末３から人間１の人体に誘起されて伝送されてくる電界を検知したり、または人間１の人体に電界を誘起して人体を介して人間１の携帯端末３に信号を伝送し得るように設け、この複数の電極７をそれぞれ本発明の電極側トランシーバ手段を構成するトランシーバ付き小型情報端末９に接続するとともに、各トランシーバ付き小型情報端末９を介してパソコン１１に接続する。
【００４８】
なお、トランシーバ付き小型情報端末９は、本発明の電極側トランシーバ手段を構成するものであり、トランシーバと小型情報端末で構成されるが、このトランシーバも携帯端末３のトランシーバ３１と同様に人間１の体に誘起され伝送されてくる電界を電極７を介してレーザ光と電気光学結晶を用いた電気光学的手法により検知するように構成されているものである。
【００４９】
従って、詳しくは後述するが、このパソコン１１は、複数のトランシーバ付き小型情報端末９、電極７を介した人間１に携帯されている携帯端末３との通信を人間１の体に電界を誘起して伝送することにより行うことができるし、またこの携帯端末３から人間１の状態に関する情報を取得することができる。
【００５０】
なお、このパソコン１１は、複数の電極７が設けられていると同じ部屋または人間１が生活している自宅内に設けられることが好ましいが、これに限定されるものではない。また、床５の表面に設けられた複数の電極７は、人間１が歩行した場合に、その足が密接または近接するように床面に設けられる。
【００５１】
パソコン１１は、人間１に携帯されている携帯端末３から取得した人間１の状態に関する情報から人間１の動作状態、生活状態、健康状態などを判断するように構成することができるし、またはパソコン１１は通信回線１３を介して公衆網１５に接続され、この公衆網１５から更に管理センタ１７のデータ処理端末１７ａ、病院・警察１９のデータ処理端末１９ａ、介護・セキュリティセンタ２１のデータ処理端末２１ａ、または隣人、知人、親戚などの携帯電話２３に接続されているので、パソコン１１は通信回線１３、公衆網１５を介して人間１の状態に関する情報をこれらに対して送信したり、または一旦、管理センタ１７のデータ処理端末１７ａに送信して、人間１の状態を通知し、管理センタ１７において人間１の状態を判断し、この判断結果に基づき緊急事態と判断した場合には、管理センタ１７から公衆網１５を介して病院・警察１９、介護・セキュリティセンタ２１または隣人、知人、親戚などの携帯電話２３に通知することも可能である。なお、本発明のデータ処理手段は、パソコン１１またはパソコン１１と管理センタ１７のデータ処理端末１７ａで構成されているものである。
【００５２】
更に詳しく、人間１ａの状態を監視する動作について説明する。なお、この動作説明では、人間１ａに携帯した携帯端末３から人体に対して、詳しくは、携帯端末３の小型情報端末４１からトランシーバ３１を介して人体に対して所定の被検知用信号を出力し、この被検知用信号を電極７、トランシーバ付き小型情報端末９を介してパソコン１１が受信する第１の制御方法と、パソコン１１または各トランシーバ付き小型情報端末９から所定の探査用信号を電極７を介して人体に出力し、この探査用信号に対して携帯端末３から人体に対して返信されてくる被検知用信号を電極７、トランシーバ付き小型情報端末９を介してパソコン１１が受信する第２の制御方法とがある。従って、まず第１の制御方法について説明する。
【００５３】
第１の制御方法では、所定の被検知用信号は、人間１ａの携帯端末３ａの小型情報端末４１から例えば周期的に出力され、トランシーバ３１を介して人間１ａの体に電界として誘起され、人体を介して人体の他の部位、例えば図１において点線で示すように、人間１ａの足に伝送されてくる。
【００５４】
人間１ａの足に伝送されてきた被検知用信号に基づく電界は、人間１ａの足が乗っている電極７を介してトランシーバ付き小型情報端末９で検知され、検知電気信号として出力される。この検知電気信号は、パソコン１１で受信され、パソコン１１は、このトランシーバ付き小型情報端末９から送られてきた検知電気信号により人間１ａの状態を判断する。また、この人間１ａの状態の判断は、パソコン１１で行わず、パソコン１１は単にトランシーバ付き小型情報端末９からの検知電気信号を受信し、この受信した検知電気信号を通信回線１３、公衆網１５を介して管理センタ１７などに送信し、管理センタ１７において検知電気信号から人間１ａの状態を判断するようにしてもよいものである。なお、この場合には、パソコン１１は、単にデータを中継して送信する機能のみあればよいものであり、必ずしもパソコンである必要はない。
【００５５】
上記検知電気信号に基づく人間１ａの状態の判断は、パソコン１１で行ってもまた管理センタ１７などで行っても原理的には同じであるので、以下の説明では、パソコン１１で行う場合について説明する。
【００５６】
パソコン１１は、トランシーバ付き小型情報端末９から前記検知電気信号を受信すると、図１において人間１ａおよび携帯端末３ａのように符号に「ａ」を付して示すように、携帯端末３ａを携帯している人間１ａが床５上の１個の電極７上に真っ直ぐに立っているような場合には、人間１ａの携帯端末３ａからの被検知用信号は、１個の電極７のみを通って１個のトランシーバ付き小型情報端末９のみで受信され、１個のトランシーバ付き小型情報端末９からの検知電気信号としてパソコン１１に送信されてくるので、この検知電気信号は、他の信号と加算されたり重畳することなく、１個の信号としてパソコン１１で受信されるので、パソコン１１は、この１個の信号としての検知電気信号から人間１ａが真っ直ぐに立っている状態であると判断することができる。そして、このように人間１ａが真っ直ぐに立っているということは、人間１ａが正常な状態にあると判断することができる。
【００５７】
更に、人間１ａがこのように立った状態で歩行した場合には、この１個の信号としての検知電気信号もこの歩行に合わせて電極７、トランシーバ付き小型情報端末９間を移動するので、この電極７、トランシーバ付き小型情報端末９間における移動時に発生する検知電気信号の波形に基づき人間１ａが正常に歩行していると判断することができる。
【００５８】
これに対して、図１において人間１ｂおよび携帯端末３ｂのように符号に「ｂ」を付して示すように、携帯端末３ｂを携帯している人間１ｂが床５上に倒れて、複数の電極７上に横倒れているような場合には、人間１ｂの携帯端末３ｂからの被検知用信号は、複数の電極７を通って複数のトランシーバ付き小型情報端末９で検知電気信号として受信され、複数のトランシーバ付き小型情報端末９からの複数の検知電気信号が場合によっては加算されたり重畳された信号としてパソコン１１に送信されてくるので、パソコン１１は、この複数の検知電気信号またはその加算または重畳された検知電気信号から人間１ｂが倒れている状態であると判断することができる。なお、このように検知電気信号が加算または重畳されるかは、後述する説明から明らかになるように、例えば各電極７を識別し得るように制御を行うかまたは各電極７に識別情報を付与することにより、複数の検知電気信号またはその加算または重畳された検知電気信号でなく、それぞれが電極を識別し得る情報または電極識別情報を伴う複数の検知電気信号から人間の状態を判断することができる。
【００５９】
すなわち、人間１ｂのように床５の上に倒れている場合には、人間１ｂは、複数の人体箇所（図１では、足、腰、頭の３箇所）において複数個（３個）の電極７に近接または密接しているので、パソコン１１は、この複数の電極７から検知電気信号を受信し、この複数の電極７からの検知電気信号に基づいて人間１ｂの状態、すなわち人間１ｂが倒れているという状態を判断することができる。
【００６０】
なお、人間１ｂが倒れて移動できない状態にある場合には、検知電気信号は複数の電極７やトランシーバ付き小型情報端末９間の移動で現れる変化もないので、パソコン１１は、人間１ｂが倒れて動けない状態であると判断することができる。そして、このように人間１ｂが倒れているということは、人間１ｂが例えばめまい、つまづいて怪我して起き上がれない状態、脳梗塞、心筋梗塞などの異常状態が発生したものであると判断することができる。
【００６１】
パソコン１１は、このような異常状態を検知すると、この異常状態を通信回線１３、公衆網１５を介して管理センタ１７に通知し、管理センタ１７から更に病院・警察１９、介護・セキュリティセンタ２１や隣人、知人、親戚などの携帯電話２３などに通知したり、またはパソコン１１から管理センタ１７に通知すると同時に、直接病院・警察１９、介護・セキュリティセンタ２１、隣人、知人、親戚などの携帯電話２３などに通知することも可能である。
【００６２】
更に、パソコン１１は、上述したような異常状態を検知すると、トランシーバ付き小型情報端末９、電極７を介して人間１ｂの携帯端末３ｂに対して生体センサ起動信号を送信する。携帯端末３ｂは、この生体センサ起動信号を受信すると、生体センサ４３を起動して、生体センサ４３で人間１ｂの例えば体温、脈拍、血圧、血流などの生体情報を検知し、この検知した生体情報を生体センサ４３から小型情報端末４１、トランシーバ３１を介して人間１ｂの体に電界として誘起して伝送する。
【００６３】
この生体情報に基づく電界は、人間１ｂの体を介して電極７に伝達され、トランシーバ付き小型情報端末９で生体情報として検知される。この生体情報は、トランシーバ付き小型情報端末９からパソコン１１に送信される。パソコン１１は、この生体情報に基づいて人間１ｂの状態を体温、脈拍、血圧、血流などの生体情報で更に詳しく知ることができ、人間１ｂが危険な状態にあるか否かを適確に判断することができる。管理センタ１７への通報もその危険度に応じて行うことができる。
【００６４】
なお、生体センサは、図２に示したように携帯端末３に設けてもよいが、電極７やトランシーバ付き小型情報端末９に関連して設けてもよいものである。また、生体センサは、常時作動していてもよいし、またはパソコン１１から必要な都度、起動してもよいものである。
【００６５】
なお、上記説明では、各携帯端末３および電極７は、それぞれを識別するための例えば識別情報などを付与されていないものとして説明したが、各携帯端末３および電極７に識別情報を付与したり、または各電極７を識別し得るように構成することにより、パソコン１１は、電極７を介してトランシーバ付き小型情報端末９で検知した検知電気信号がどの電極７から送信されてきたものであるか、またはどれとどれの複数の電極７を介して送信されてきたものであるか、または一人の同一の人間１から送信されてきたものであるかを更に明確に識別することができ、これにより人間１が立っているか歩行しているか倒れているかなどの人間１の状態や人間１が歩行する場合には、その歩行方向などを更に適確に識別することができる。
【００６６】
まず、複数の電極７を識別し得る第１の電極識別方法としては、パソコン１１が例えばスキャンニング手法を利用して、トランシーバ付き小型情報端末９を介して各電極７を順次走査しながら各トランシーバ付き小型情報端末９から順次検知電気信号を取得する方法である。パソコン１１は、各電極７を順番に走査しながら検知電気信号を取得することにより、この検知電気信号を取得した場合に走査している電極７を識別することができるので、この電極識別信号からどの電極７であるかを適確に識別することができる。なお、これが本発明の電極識別手段である。
【００６７】
この結果、ある特定の１個の電極７のみから検知電気信号を取得した場合には、この電極７の上に人間１が立っていることがわかり、またこの状態から検知電気信号を取得した電極７が隣接する電極７に順次移動するような場合には、人間１が歩行していることがわかり、更に比較的近い位置関係にあったり隣接している複数の電極７から検知電気信号を取得した場合には、人間１が倒れていることがわかるのである。
【００６８】
また、複数の電極７を識別し得る第２の電極識別方法は、各電極７に電極識別情報を付与するとともに、トランシーバ付き小型情報端末９またはパソコン１１に電極識別情報保存手段を設け、この電極識別情報保存手段に各電極７の電極識別情報を保存しておき、各電極７から被検知用信号を検知する場合に、当該電極７の電極識別情報も取得することである。
【００６９】
更に詳しくは、トランシーバ付き小型情報端末９は、上述したように、電極７を介して被検知用信号に基づく電界を検知する場合において、該電界を検知した電極の電極識別情報を取得し、この取得した電極識別情報を前記検知電気信号とともに出力する。そして、この検知電気信号および電極識別情報は、パソコン１１で受信され、パソコン１１は、このトランシーバ付き小型情報端末９から送られてきた検知電気信号と電極識別情報に基づき人間１の状態を判断する。
【００７０】
このように検知電気信号とともに電極識別情報を取得することにより、パソコン１１は、どの電極７からの検知電気信号であるかを適確に識別することができる。この結果、ある特定の１個の電極７のみから検知電気信号を取得した場合には、この電極７の上に人間１が立っていることがわかり、またこの状態から検知電気信号を取得した電極７が隣接する電極７に順次移動するような場合には、人間１が歩行していることがわかり、更に比較的近い位置関係にあったり隣接している複数の電極７から検知電気信号を取得した場合には、人間１が倒れていることがわかるのである。
【００７１】
上記では、各電極７に電極識別情報を付与する場合について説明したが、電極７以外に各携帯端末３に識別情報、すなわち本発明のトランシーバ識別情報を付与することも可能である。なお、このように各携帯端末３にトランシーバ識別情報を付与する方法を第３の識別方法とする。また、このトランシーバ識別情報は、例えば携帯端末３内に、特に携帯端末３の小型情報端末４１内のメモリにトランシーバ識別情報保存手段を設け、このトランシーバ識別情報保存手段に保存することができる。
【００７２】
このように各携帯端末３にトランシーバ識別情報を付与して、各携帯端末３を識別し得るように構成した場合には、一人暮らしの老人のみでなく、年取った夫婦などのような複数の老人、特に例えば二人暮らしの老人であって、一人が寝たきりで、もう一人が介護しているような場合に、この介護している老人が倒れてしまったにも関わらず、寝たきりの老人はこれを知らないかまたは管理センタ１７などに通報できないような場合に有効である。
【００７３】
このように各携帯端末３にトランシーバ識別情報を付与した場合には、携帯端末３は、前記被検知用信号を人間１の体を介して伝達すべく該被検知用信号に基づく電界を人体に誘起させるに当っては、自身に付与されているトランシーバ識別情報も被検知用信号とともに人体を介して伝達すべく被検知用信号およびトランシーバ識別情報に基づく電界を人体に誘起させる。
【００７４】
これに対して、トランシーバ付き小型情報端末９は、電極７を介して前記被検知用信号に基づく電界を検知する場合、該被検知用信号とともにトランシーバ識別情報も検知するとともに、更に上述したように各電極７に付与されていて、該電界を検知した電極を識別する電極識別情報も上述したように取得し、この取得した電極識別情報およびトランシーバ識別情報を前記検知電気信号とともにパソコン１１に対して出力する。
【００７５】
パソコン１１は、トランシーバ付き小型情報端末９の検知電気信号を電極識別情報およびトランシーバ識別情報とともに受信し、この検知電気信号、電極識別情報およびトランシーバ識別情報に基づき人間の状態を判断するものである。この場合に、パソコン１１は、トランシーバ識別情報からどの人間１の情報であるかを識別することができ、上述したように一人が寝たきりで、もう一人が介護しているような二人暮らしの老人に対する介護も適確に行うことができる。
【００７６】
図４および図５は、図１に示す実施形態の電界利用監視システムに使用される複数の電極７を床５の代わりにカーペット１００の表面に設けるとともに、図１における複数のトランシーバ付き小型情報端末９の代わりに複数の電極７に対してトランシーバ９０を共通に設けたことを示す斜視図および断面図である。
【００７７】
図４、図５に示すように、複数の電極７は、カーペット１００の表面に設けられ、この複数の電極７を図５からわかるように絶縁膜１２１で保護するように構成されている。また、トランシーバ９０は、複数の電極７に対して共通に設けられるとともに、転送装置９５およびアンテナ９９を介して無線により図１のパソコン１１に対応するパソコンなどからなるコンピュータ１１１に接続されている。トランシーバ９０および転送装置９５は、本発明の電極側トランシーバ手段を構成するものであるとともに、機能的には図１のトランシーバ付き小型情報端末９に対応するも、共通化している点が異なるのみであって、この基本的機能は同じである。
【００７８】
また、コンピュータ１１１は、自身に接続されたアンテナ１１３を介して転送装置９５と信号の送受信を行うとともに、図１のパソコン１１と同様に通信回線１３、公衆網１５を介して管理センタ１７のデータ処理端末１７ａ、病院・警察１９のデータ処理端末１９ａ、介護・セキュリティセンタ２１のデータ処理端末２１ａ、および隣人、知人、親戚などの携帯電話２３に接続されていることは同じである。なお、トランシーバ９０は、複数の電極７に対して共通に１個設けられているものでもよいし、または複数の電極７の各々に対して個別に設けられた小型の複数のトランシーバユニットを集積化などにより一体的に構成したものであってもよい。
【００７９】
図４、図５に示すように、カーペット１００の表面に前記複数の電極７を設けることにより、図１のように床５の表面に設けるための作業も必要なく、既に存在している各部屋の床５の上にカーペット１００を敷くだけで図１の電界利用監視システムと同様な監視機能を特別な工事も必要とすることなく、容易に実現することができる。また、カーペット１００側のトランシーバ９０、転送装置９５とコンピュータ１１１との間を無線で接続することにより、余分な配線も必要ないとともに、複数の部屋にそれぞれ敷いた複数のカーペット１００の転送装置９５との間の信号の送受信も１台のコンピュータ１１１で行うことができる。
【００８０】
次に、図１に示す実施形態の電界利用監視システムの動作説明として、上述した第２の制御方法、すなわちパソコン１１または各トランシーバ付き小型情報端末９から所定の探査用信号を電極７を介して人体に出力し、この探査用信号に対して携帯端末３から人体に対して返信されてくる被検知用信号を電極７、トランシーバ付き小型情報端末９を介してパソコン１１が受信して、人間１の状態を判断する第２の制御方法について説明する。
【００８１】
この第２の制御方法では、まず、前記所定の探査用信号は、各トランシーバ付き小型情報端末９から順次、すなわち１個のトランシーバ付き小型情報端末９が探査用信号を出力し終わると、次のトランシーバ付き小型情報端末９が探査用信号を出力するというように各トランシーバ付き小型情報端末９から順次、しかも例えば周期的に出力されるかまたはパソコン１１からの制御により各トランシーバ付き小型情報端末９から順次、例えば周期的に出力される。このように各トランシーバ付き小型情報端末９から順次、周期的に出力される探査用信号は、各トランシーバ付き小型情報端末９に対応して接続されている電極７に供給される。
【００８２】
電極７は、対応するトランシーバ付き小型情報端末９から探査用信号を受信すると、この探査用信号に基づく電界を例えば図１において人間１ａで示すように人間１ａの足が電極７の上に乗っていて密接または近接している場合には、この人間１ａの足に誘起させ、この人間１ａの体を介して伝送させる。
【００８３】
このように人間１ａの体に誘起された探査用信号に基づく電界は、その人体を伝送されて、人間１ａの携帯端末３ａによって上述したように検知され、被検知用信号として生成処理される。具体的には、探査用信号に基づく電界は、携帯端末３ａのトランシーバ３１で検知され電気信号に変換されてから、小型情報端末４１に供給され、小型情報端末４１において被検知用信号として生成される。
【００８４】
この被検知用信号を生成した携帯端末３ａは、次に当該被検知用信号に基づく電界を人間１ａの体に誘起させ、その人体を介して伝送する。すなわち、携帯端末３ａにおいては、上述したように、小型情報端末４１で生成された被検知用信号を小型情報端末４１からトランシーバ３１に供給し、トランシーバ３１から電界として人間１ａの体に誘起させ、その人体を介して伝送する。
【００８５】
このように人間１ａの体を伝送されてきた被検知用信号に基づく電界は、人間１ａの足に密接または近接して床５に設けられている電極７を介してトランシーバ付き小型情報端末９で検知され、トランシーバ付き小型情報端末９から検知電気信号としてパソコン１１に対して出力される。
【００８６】
パソコン１１は、このトランシーバ付き小型情報端末９から出力される検知電気信号を受信すると、この受信した検知電気信号を分析して人間１ａの状態を判断する。この判断以降の処理は、上述した第１の制御方法における処理と同じである。なお、図１において、人間１ｂのように床５の上に倒れている人間１ｂに対する第２の制御方法における処理も上述した第１の制御方法における処理と同じである。
【００８７】
次に、図６を参照して、本発明の他の実施形態に係る電界利用監視システムについて説明する。
【００８８】
図６に示す実施形態の電界利用監視システムは、例えばベッド２５やトイレの便座３５などのような例えば一人暮らしの老人などの人間１（１ｃ，１ｄ）が生活しながら利用することにより、人間１の体が密接または近接するこれらの接触部の表面に１個以上の電極７（７ｉ，７ｊ，７ｋ）を設け、この電極７に図１と同様にトランシーバ付き小型情報端末９を接続し、トランシーバ付き小型情報端末９を更にパソコン１１に接続するとともに、図１と同じ携帯端末３を人間１の体に近接または密接するように人間１に携帯させ、この人間１がベッド２５に寝たり、便座３５に座った場合に、ベッド２５のパッドや便座３５などの接触部の表面に設けた電極７を介して携帯端末３からの信号をトランシーバ付き小型情報端末９で検知して、パソコン１１に送信し、パソコン１１において人間１がいつベッド２５に入り、ベッド２５から出たか、今日はトイレに入ったか、何回トイレに入ったかなどのような人間１の生活状態、健康状態などの状態を監視しようとするものである。
【００８９】
なお、電極７は、上述したベッド２５のベッド用パッド、便座３５以外に、例えば食卓の椅子、座布団、布団、シーツ、便座のカバーなどのような人間１が接触する種々の接触部の表面に設けられる。
【００９０】
更に、本実施形態の電界利用監視システムでは、ベッド２５のパッドや便座３５などの接触部の表面に設けられた各電極７は、図１において第１の電極識別方法または第２の電極識別方法などで説明した方法、すなわちスキャンニング方法や識別情報付与方法などにより各電極７を識別し得ることが好ましい。このように各電極７を識別し得ることにより、人間１が今使用している接触部がベッド２５のパッドであるのか、または便座３５であるのかを適確に識別し得るからである。この識別方法は、上述した第１の電極識別方法または第２の電極識別方法と同じであるので、その説明は省略する。
【００９１】
なお、各人間１が携帯する携帯端末３にも、図１で説明した前記第３の識別方法によりトランシーバ識別情報が付与されていることが好ましく、このように各人間１が携帯する携帯端末３にトランシーバ識別情報を付与することにより、図１の実施形態で説明したと同様に例えば二人暮らしの頼りなく、生活的におぼつかない老人がいる場合に、どちらを使用したかを識別できる。なお、この各携帯端末３にトランシーバ識別情報を付与する方法は、図１で説明した第３の識別方法と同じであるので、その説明は省略する。
【００９２】
また、図６に示す実施形態の電界利用監視システムでも、図１の実施形態と同様に、人間１に携帯した携帯端末３から人体に対して、詳しくは、携帯端末３の小型情報端末４１からトランシーバ３１を介して人体に対して所定の被検知用信号を出力し、この被検知用信号を電極７、トランシーバ付き小型情報端末９を介してパソコン１１が受信する第１の制御方法と、パソコン１１または各トランシーバ付き小型情報端末９から所定の探査用信号を電極７を介して人体に出力し、この探査用信号に対して携帯端末３から人体に対して返信されてくる被検知用信号を電極７、トランシーバ付き小型情報端末９を介してパソコン１１が受信する第２の制御方法とがあるが、この第１の制御方法および第２の制御方法は、図１の場合と全く同じであるので、その説明は省略する。
【００９３】
図６に示す実施形態の電界利用監視システムは、上述した構成および各制御方法を用いて、人間１がベッド２５にいるのか、または便座３５にいるのかを識別し、これにより人間１がいつベッド２５に入り、ベッド２５から出たか、今日はトイレに入ったか、何回トイレに入ったかなどのような人間１の生活状態、健康状態などの状態を監視し、この監視した人間１の状態から人間１が正常であるか否かを判断するようになっている。そして、この判断した結果を必要によりパソコン１１から通信回線１３、公衆網１５を介して管理センタ１７のデータ処理端末１７ａ、病院・警察１９のデータ処理端末１９ａ、介護・セキュリティセンタ２１のデータ処理端末２１ａや隣人、知人、親戚などの携帯電話２３に通知するようになっている。
【００９４】
更に詳しくは、人間１ｃがベッド２５に入ったか、寝ているか、出たかなどの判定は、パソコン１１が各トランシーバ付き小型情報端末９ｉ，９ｊおよびベッド２５の例えばベッド用パッドの表面に設けられている電極７ｉ，７ｊを介し、更に人間１ｃの携帯端末３ｃを介して前記検知電気信号とともに得られる電極７ｉ，７ｊの電極識別情報からベッド２５であることを判定できるとともに、これらの検知電気信号と電極識別情報が新たに得られた場合には、人間１ｃがベッド２５に入った場合であり、今まで得られていたこれらの検知電気信号と電極識別情報がなくなった場合には、人間１ｃがベッド２５から出た場合であり、更に電極７ｉと７ｊからのように２つ以上の電極識別情報が検知電気信号とともに得られた場合には、人間１ｃがベッド２５に寝ている場合であると判定することができる。なお、パソコン１１においては、各電極識別情報をベッド２５、ベッド２５などの接触部の情報と対応付けてメモリなどに記憶しておくとが好ましい。
【００９５】
また、便座３５の場合には、人間１ｄが便座３５に座ると、パソコン１１がトランシーバ付き小型情報端末９ｋ、便座３５の表面に設けられている電極７ｋを介し、更に人間１ｄの携帯端末３ｄを介して前記検知電気信号とともに得られる電極７ｋの電極識別情報から便座３５であることを判定できる。
【００９６】
更に、本実施形態では、携帯端末３は、図２で説明したように、生体センサ４３を備えていて、これによりベッド２５に入る人間１ｃや便座３５に座った人間１ｄの生体情報を取得し、図１で説明したと同様に、パソコン１１で取得し、人間１の健康状態を更に詳しく調べることができる。そして、この生体センサによる生体情報からの人間１の健康状態の判断の結果、人間１に異常が検出された場合には、パソコン１１から通信回線１３、公衆網１５を介して管理センタ１７のデータ処理端末１７ａ、病院・警察１９のデータ処理端末１９ａ、介護・セキュリティセンタ２１のデータ処理端末２１ａや隣人、知人、親戚などの携帯電話２３などに通知することができる。
【００９７】
なお、生体センサは、携帯端末３に設けてもよいし、ベッド２５や便座３５に設けた電極７やトランシーバ付き小型情報端末９に関連して設けてもよいものである。また、生体センサは、ベッド２５や便座３５を人間１が利用する度に自動的に作動するようにしてもよいし、またはパソコン１１から必要な都度、起動してもよいものである。
【００９８】
図７は、図６におけるベッド２５の代わりに布団１０１のような人間１の接触部の表面に複数の電極７を設けるとともに、図４と同様に複数の電極７に対してトランシーバ９１を共通に設け、このトランシーバ９１からの信号を無線でアンテナ９９，１１３を介してコンピュータ１１１に送信するように構成した斜視図である。
【００９９】
図７に示す複数の電極７は、詳しくは図８（ａ）に示すように、絶縁性の布団１０１の表面に例えば接着などで取り付けられ、この取り付けられた複数の電極７の上を絶縁性の布団カバー１０２で保護したり、または図８（ｂ）に示すように、絶縁性の布団１０１の表面近くの内部に埋設され、布団１０１の全体が布団カバー１０２またはシーツなどで保護されているものである。
【０１００】
トランシーバ９１および転送装置９５は、本発明の電極側トランシーバ手段を構成するものであるとともに、機能的には図１のトランシーバ付き小型情報端末９に対応するも、共通化している点が異なるのみであって、この基本的機能は同じである。また、コンピュータ１１１は、自身に接続されたアンテナ１１３を介して転送装置９５と信号の送受信を行うとともに、図１のパソコン１１と同様に通信回線１３、公衆網１５を介して管理センタ１７のデータ処理端末１７ａ、病院・警察１９のデータ処理端末１９ａ、介護・セキュリティセンタ２１のデータ処理端末２１ａ、および隣人、知人、親戚などの携帯電話２３に接続されていることは同じである。なお、トランシーバ９１は、複数の電極７に対して共通に１個設けられているものでもよいし、または複数の電極７の各々に対して個別に設けられた小型の複数のトランシーバユニットを集積化などにより一体的に構成したものであってもよい。
【０１０１】
図９は、図６に示す便座３５の表面に電極７を設ける代わりに便座３５を保護している例えば厚手の布などからなる便座カバー１０３の表面に２個の電極７を設けるとともに、図７と同様に２個の電極７に対してトランシーバ９１を共通に設け、このトランシーバ９１からの信号を無線でアンテナ９９，１１３を介してコンピュータ１１１に送信するように構成した斜視図である。
【０１０２】
図９に示すように、便座カバー１０３に電極７を設けることにより、既存の便座を改造することなく、本実施形態の電界利用監視システムを経済的かつ容易に導入することができる。なお、コンピュータ１１１から管理センタ１７のデータ処理端末１７ａなどに接続されて通報される処理は上記と同様である。
【０１０３】
図１０は、図６に示す実施形態においてベッド２５や便座３５以外に更に座布団１０４のような人間１が座って接触する接触部の表面に電極７を設けるとともに、図９と同様に電極７に対してトランシーバ９１に接続し、このトランシーバ９１からの信号を無線でアンテナ９９，１１３を介してコンピュータ１１１に送信するように構成した斜視図である。
【０１０４】
図１０に示す電極７は、詳しくは図１１に断面を示すように、絶縁性の布団１０１の表面に例えば接着などで取り付けられ、この取り付けられた電極７の上を絶縁性カバー１２２で保護して構成しているものである。なお、コンピュータ１１１から管理センタ１７のデータ処理端末１７ａなどに接続されて通報される処理は上記と同様である。
【０１０５】
図１２は、本発明の更に他の実施形態に係る電界利用監視システムの構成を示す図である。同図に示す実施形態の電界利用監視システムは、図１に示した実施形態において生体センサを備えた生体センサ付き無線トランシーバ１３０を人間１ｅの体の一部に密接または近接させて新たに設けるとともに、図１の携帯端末３の代わりに前記小型情報端末４１と同じ小型情報端末、前記トランシーバ３１と同じ人体通信用トランシーバ、生体センサ付き無線トランシーバ１３０と無線通信し得る無線トランシーバを備えた携帯端末３０を人間１ｅの体の一部に密接または近接させて設けている点が異なるものであり、その他の構成、すなわち床面５の表面に設けられた電極７、この電極７に接続された本発明の電極側トランシーバ手段を構成するトランシーバ付き小型情報端末９、このトランシーバ付き小型情報端末９にネットワーク１０を介して接続されている前記データ処理手段を構成するパソコン１１、更にこのパソコン１１から通信回線１３、公衆網１５を介して接続されている管理センタ１７のデータ処理端末１７ａ、病院・警察１９のデータ処理端末１９ａ、介護・セキュリティセンタ２１のデータ処理端末２１ａ、または隣人、知人、親戚などの携帯電話２３などの構成は同じであってもよい。
【０１０６】
本実施形態では、携帯端末３０は、図１の携帯端末３のように生体センサを備えてなく、代わりに生体センサ付き無線トランシーバ１３０が生体センサを備えていて、この生体センサ付き無線トランシーバ１３０に設けられた生体センサで人間１ｅの例えば体温、脈拍、血圧、血流、脳波などの生体情報を検知し、この検知した生体情報を生体センサ付き無線トランシーバ１３０から無線信号として携帯端末３０に送信するようになっているものである。
【０１０７】
なお、図１２においては、生体センサ付き無線トランシーバ１３０は、人間１ｅの頭部に取り付けられ、これにより人間１ｅの脳波、血流、脈拍などの生体情報を検知するようになっている。また、携帯端末３０は、人間１ｅの腕などに取り付けられる例えば腕時計型のものである。そして、生体センサ付き無線トランシーバ１３０と携帯端末３０との間の無線通信は、例えば微弱電波や赤外線などを利用して行われる。
【０１０８】
携帯端末３０は、生体センサ付き無線トランシーバ１３０からの無線信号として送信されてくる生体情報を携帯端末３０自身が所有する無線トランシーバで受信すると、この受信した生体情報を携帯端末３０が所有する人体通信用トランシーバを介して人間１ｅの体に電界として誘起して伝送する。
【０１０９】
この生体情報に基づく電界は、図１２において点線４００で示すように、人間１ｅの体を介して電極７に伝達され、トランシーバ付き小型情報端末９で生体情報として検知される。この生体情報は、トランシーバ付き小型情報端末９からネットワーク１０を介してパソコン１１に送信される。パソコン１１は、この生体情報に基づいて人間１ｅの状態を体温、脈拍、血圧、血流、脳波などの生体情報で更に詳しく知ることができ、人間１ｅが危険な状態にあるか否かを適確に判断することができる。そして、その危険度に応じて管理センタ１７に通報することができる。
【０１１０】
上述したように、本実施形態では、携帯端末３０とは別に比較的小型化し得る生体センサ付き無線トランシーバ１３０で生体情報を検知することにより、この生体センサ付き無線トランシーバ１３０を人体の例えば頭部、胸部、腕、首などの任意の部位に人体に負担をかけることなく取り付けることができ、生体情報を得やすくなるとともに、生体情報として例えば体温、脈拍、血圧、血流、脳波などを取得でき、このような生体情報に基づいて人間が危険な状態にあるか否かを適確に判断することができ、管理センタなどへの通報もその危険度に応じて迅速かつ適確に行うことができる。
【０１１１】
図１３は、本発明の別の実施形態に係る電界利用監視システムの構成を示す図である。同図に示す実施形態は、図１２に示した実施形態における生体センサ付き無線トランシーバ１３０および携帯端末３０の代わりに生体センサ付き人体通信用トランシーバ３３０および小型情報端末と人体通信用トランシーバを備えた携帯端末３００をそれぞれ設けた点が異なるものであり、その他の構成は同じである。
【０１１２】
生体センサ付き人体通信用トランシーバ３３０は、人間１ｅの例えば体温、脈拍、血圧、血流、脳波などの生体情報を検知する生体センサと、この生体センサで検知した生体情報を人間１ｅの体に電界として誘起して伝送する人体通信用トランシーバとを備え、また携帯端末３００は、前記小型情報端末４１と同じ小型情報端末と、前記トランシーバ３１と同じ人体通信用トランシーバとを有する。
【０１１３】
なお、図１３では、生体センサ付き人体通信用トランシーバ３３０は、人間１ｅの頭部に取り付けられ、これにより人間１ｅの脳波、血流、脈拍などの生体情報を検知するようになっている。また、携帯端末３００は、人間１ｅの腕などに取り付けられる例えば腕時計型のものである。
【０１１４】
このような構成において、生体センサ付き人体通信用トランシーバ３３０に設けられた生体センサで人間１ｅの例えば体温、脈拍、血圧、血流、脳波などの生体情報を検知し、この検知した生体情報を生体センサ付き人体通信用トランシーバ３３０から人間１ｅの体に電界として誘起し、図１３において点線４０１で示すように、携帯端末３００に向けて伝送する。
【０１１５】
携帯端末３００は、生体センサ付き人体通信用トランシーバ３３０からの生体情報に基づく電界を人体通信用トランシーバで受信すると、この受信した生体情報を信号処理してから、更に携帯端末３００の人体通信用トランシーバを介して人間１ｅの体に電界として誘起し、図１３において点線４０２で示すように、電極７に向けて伝送する。
【０１１６】
この電極７に向けて伝送された生体情報に基づく電界は、電極７を介してトランシーバ付き小型情報端末９で検知される。この生体情報は、トランシーバ付き小型情報端末９からネットワーク１０を介してパソコン１１に送信される。パソコン１１は、この生体情報に基づいて人間１ｅの状態を体温、脈拍、血圧、血流、脳波などの生体情報で更に詳しく知ることができ、人間１ｅが危険な状態にあるか否かを適確に判断することができる。そして、その危険度に応じて管理センタ１７に通報することができる。
【０１１７】
なお、生体センサ付き人体通信用トランシーバ３３０の生体センサからの生体情報は、生体センサ付き人体通信用トランシーバ３３０が所定の周期毎などの何らかの契機により人間１ｅから検知し、上述したように送信してもよいが、管理センタ１７やデータ処理手段であるパソコン１１からの生体情報検知指令信号に応じて検知して送信してもよい。すなわち、この生体情報検知指令信号が例えば管理センタ１７またはパソコン１１からトランシーバ付き小型情報端末９に送信されると、トランシーバ付き小型情報端末９は、この指令信号に応答して生体情報検知指令信号に基づく電界をトランシーバ付き小型情報端末９を介して人間１ｅの体に誘起し、図１３において点線４０３で示すように、生体センサ付き人体通信用トランシーバ３３０に向けて伝送する。
【０１１８】
生体センサ付き人体通信用トランシーバ３３０は、この生体情報検知指令信号に基づく電界を受信すると、自身に設けられている生体センサを起動して、生体情報を取得し、この取得した生体情報を上述した経路でパソコン１１や管理センタ１７などに送信するものである。また、上記において、パソコン１１や管理センタ１７からの生体情報検知指令信号をトランシーバ付き小型情報端末９から生体センサ付き人体通信用トランシーバ３３０に送信する代わりにトランシーバ付き小型情報端末９から点線４０２で示すように携帯端末３００に向けて送信し、携帯端末３００において信号処理などを施してから生体センサ付き人体通信用トランシーバ３３０に向けて送信し、これにより生体センサ付き人体通信用トランシーバ３３０において生体センサで生体情報を検知し、この生体情報を生体センサ付き人体通信用トランシーバ３３０から上述した経路、すなわち生体センサ付き人体通信用トランシーバ３３０から携帯端末３００を介してトランシーバ付き小型情報端末９に伝送するかまたは生体センサ付き人体通信用トランシーバ３３０から直接トランシーバ付き小型情報端末９に送信するなどしてもよい。
【０１１９】
上述したように、本実施形態では、携帯端末３０とは別に比較的小型化し得る生体センサ付き人体通信用トランシーバ３３０で生体情報を検知することにより、この生体センサ付き人体通信用トランシーバ３３０を人体の例えば頭部、胸部、腕、首などの任意の部位に人体に負担をかけることなく取り付けることができ、生体情報を得やすくなるとともに、生体情報として例えば体温、脈拍、血圧、血流、脳波などを取得でき、このような生体情報に基づいて人間が危険な状態にあるか否かを適確に判断することができ、管理センタなどへの通報もその危険度に応じて迅速かつ適確に行うことができる。
【０１２０】
また、本実施形態の変形として、図１４に示したように、携帯端末３００が、生体センサ付き人体通信用トランシーバ３３０から生体を介して受信した生体情報を信号処理してから外部機器（別途用意される生体情報収集装置等）に対し無線伝送する無線伝送手段をさらに有する構成としても良い。
【０１２１】
【発明の効果】
以上説明したように、本発明によれば、歩行面に複数の電極を設け、人間の体に近接または密接して設けた小型情報端末付きトランシーバから被検知用信号に基づいて人体に誘起させた電界を電極を介して電極側トランシーバ手段で検知電気信号として検知し、この検知電気信号を分析して人間の状態を判断しているので、例えば一人暮らしの老人などが倒れていないかなどの状態を適確に判断することができ、従来、このような一人暮らしの老人を介護するような場合において介護センタから人をいちいち派遣して、その健康状態を確認するようなことが必要なくなるだけでなく、２４時間監視でき、異常があった場合には、必要な通知先に迅速に通知することができるし、またテレビカメラを使用するような場合に比較して、非常に経済的に実施することができ、また撮像されてきた画像を例えば２４時間監視するような人材の確保も必要なくなり、経済的、空間的、資質的な問題もなくなる。
【０１２２】
また、本発明によれば、歩行面に複数の電極を設けるとともに人間の体に近接または密接して小型情報端末付きトランシーバを設け、電極側トランシーバ手段から電極に探査用信号を供給し、人間が歩行面上にいて人体が電極に密接または近接した場合に人間に携帯の小型情報端末付きトランシーバが電極を介して人体に誘起され伝達されてくる探査用信号に基づく電界を検知して被検知用信号として生成処理し、この被検知用信号に基づく電界を人体に誘起させると、この人体を介して伝達されてくる被検知用信号に基づく電界が電極側トランシーバ手段で電極を介して人体から検知されて検知電気信号として出力され、この検知電気信号を分析することにより人間の状態を判断するので、例えば一人暮らしの老人などが倒れていないかなどの状態を適確に判断することができ、従来、このような一人暮らしの老人を介護するような場合において介護センタから人をいちいち派遣して、その健康状態を確認するようなことが必要なくなるだけでなく、２４時間監視でき、異常があった場合には、必要な通知先に迅速に通知することができるし、またテレビカメラを使用するような場合に比較して、非常に経済的に実施することができ、また撮像されてきた画像を例えば２４時間監視するような人材の確保も必要なくなり、経済的、空間的、資質的な問題もなくなる。
【０１２３】
更に、本発明によれば、被検知用信号に基づく電界を検知した電極を識別することができ、この電極の識別情報と検知電気信号に基づいて人間の状態を判断するので、例えば２個以上の電極からの識別情報を検知電気信号とともに受信した場合には、例えば一人暮らしの老人が床などに倒れているなどと適確に判断でき、このような異常状態を必要により管理センタや介護・セキュリティセンタなどの通知先に迅速に通知し、必要な処置を迅速に行うことができるし、また人間が歩行している場合には、その方向を読み取ることも可能である。
【０１２４】
本発明によれば、人間が携帯している小型情報端末付きトランシーバの識別情報および被検知用信号に基づく電界を検知した場合の電極の識別情報を取得することができ、この小型情報端末付きトランシーバの識別情報、電極の識別情報および検知電気信号に基づいて人間の状態を判断するので、例えば２個以上の電極からの識別情報を検知電気信号とともに受信した場合には、例えば一人暮らしの老人が床などに倒れているなどと適確に判断でき、このような異常状態を必要により管理センタや介護・セキュリティセンタなどの通知先に迅速に通知し、必要な処置を迅速に行うことができるし、更に人間に携帯される小型情報端末付きトランシーバの識別情報から二人以上の人間を識別し得ることにより、例えば二人暮らしの老人であって、一人が寝たきりで、もう一人が介護しているような場合に、この介護している老人が倒れてしまったにも関わらず、寝たきりの老人はこれを知らないかまたは管理センタなどに通報できないような異常な状態をも適確に判断でき、必要により管理センタや介護・セキュリティセンタなどに通報して、必要な処置を迅速に行うことができるし、また人間が歩行している場合には、その方向を読み取ることも可能である。
【０１２５】
また、本発明によれば、人間が生活する場合に人体が密接または近接する接触部の表面に１個以上の電極を設け、人間の体に近接または密接して設けた小型情報端末付きトランシーバから被検知用信号に基づいて人体に誘起させた電界を電極を介して電極側トランシーバ手段で検知電気信号として検知し、この検知電気信号を分析して人間の状態を判断しているので、例えば一人暮らしの老人がベッドやトイレなどに入ったり使用したという老人の生活状態や動作状態などの状態を適確に判断でき、従来、このような老人を介護するような場合において介護センタから人をいちいち派遣して、その健康状態を確認するようなことが必要なくなるだけでなく、２４時間を監視でき、異常があった場合には、必要な通知先に迅速に通知することができるし、またテレビカメラを使用するような場合に比較して、非常に経済的に実施することができ、また撮像されてきた画像を例えば２４時間監視するような人材の確保も必要なくなり、経済的、空間的、資質的な問題もなくなる。
【０１２６】
更に、本発明によれば、人間が生活する場合に人体が密接または近接する接触部の表面に１個以上の電極を設け、電極側トランシーバ手段から電極に探査用信号を供給し、人体が接触部の表面の電極に密接または近接した場合に人間に携帯の小型情報端末付きトランシーバが電極を介して人体に誘起され伝達されてくる探査用信号に基づく電界を検知して被検知用信号として生成処理し、この被検知用信号に基づく電界を人体に誘起させると、この人体を介して伝達されてくる被検知用信号に基づく電界が電極側トランシーバ手段で電極を介して人体から検知されて検知電気信号として出力され、この検知電気信号を分析することにより人間の状態を判断するので、例えば一人暮らしの老人がベッドやトイレなどに入ったり使用したという老人の生活状態や動作状態などの状態を適確に判断でき、従来、このような老人を介護するような場合において介護センタから人をいちいち派遣して、その健康状態を確認するようなことが必要なくなるだけでなく、２４時間監視でき、異常があった場合には、必要な通知先に迅速に通知することができるし、またテレビカメラを使用するような場合に比較して、非常に経済的に実施することができ、また撮像されてきた画像を例えば２４時間監視するような人材の確保も必要なくなり、経済的、空間的、資質的な問題もなくなる。
【０１２７】
本発明によれば、被検知用信号に基づく電界を検知した電極を識別することができ、この電極の識別情報と検知電気信号に基づいて人間の状態を判断するので、例えば一人暮らしの老人が使用した接触部が例えばベッドであるのかまたはトイレであるのかなどを適確に識別できる。
【０１２８】
また、本発明によれば、生体センサにより人間の生体情報を取得でき、この生体情報に基づいて人間の状態を更に詳しく判断するので、生体情報として、例えば体温、脈拍、血圧、血流などを取得でき、このような生体情報に基づいて人間が危険な状態にあるか否かを適確に判断することができ、管理センタなどへの通報もその危険度に応じて迅速かつ適確に行うことができる。
【０１２９】
更に、本発明によれば、データ処理手段は、通信回線を介して所定の通知先に人間の状態に関する情報を通知できるので、例えば一人暮らしの老人などに異常事態が発生した場合には、例えば管理センタ、病院・警察、介護・セキュリティセンタや隣人、知人、親戚などの携帯電話などの必要な通知先に迅速に通知することができる。
【０１３０】
本発明によれば、生体センサ付き無線トランシーバで検知した生体情報を小型情報端末付きトランシーバを介してデータ処理手段に送信することにより生体情報に基づいて人間の状態を更に詳しく判断するので、小型情報端末付きトランシーバとは別に比較的小型化し得る生体センサ付き無線トランシーバで生体情報を検知できるという点において生体センサ付き無線トランシーバを人体の例えば頭部、胸部、腕、首などの任意の部位に人体に負担をかけることなく取り付けることができ、生体情報を得やすくなるとともに、生体情報として例えば体温、脈拍、血圧、血流、脳波などを取得でき、このような生体情報に基づいて人間が危険な状態にあるか否かを適確に判断することができ、管理センタなどへの通報もその危険度に応じて迅速かつ適確に行うことができる。
【０１３１】
また、本発明によれば、生体センサ付き人体通信用トランシーバで検知した生体情報を小型情報端末付きトランシーバを介してデータ処理手段に送信することにより生体情報に基づいて人間の状態を更に詳しく判断するので、小型情報端末付きトランシーバとは別に比較的小型化し得る生体センサ付き人体通信用トランシーバで生体情報を検知できるという点において生体センサ付き人体通信用トランシーバを人体の例えば頭部、胸部、腕、首などの任意の部位に人体に負担をかけることなく取り付けることができ、生体情報を得やすくなるとともに、生体情報として例えば体温、脈拍、血圧、血流、脳波などを取得でき、このような生体情報に基づいて人間が危険な状態にあるか否かを適確に判断することができ、管理センタなどへの通報もその危険度に応じて迅速かつ適確に行うことができる。
【図面の簡単な説明】
【図１】本発明の一実施形態に係る電界利用監視システムの構成を示す図である。
【図２】図１に示す電界利用監視システムに使用される携帯端末の構成を示すブロック図である。
【図３】図２に示す携帯端末を構成しているトランシーバに使用されている電界検出光学部の詳細な構成を示す図である。
【図４】図１に示す実施形態の電界利用監視システムに使用される複数の電極を床の代わりにカーペットの表面に設けた場合のカーペットの構成を示す斜視図である。
【図５】図４に示すカーペットの断面図である。
【図６】本発明の他の実施形態に係る電界利用監視システムの構成を示す図である。
【図７】図６に示す実施形態の電界利用監視システムにおけるベッドの代わりに表面に複数の電極を設けた布団を示す斜視図である。
【図８】図７に示す布団の断面図である。
【図９】図６に示す実施形態の電界利用監視システムにおける便座の代わりに表面に複数の電極を設けた便座カバーを示す斜視図である。
【図１０】図６に示す実施形態の電界利用監視システムに使用し得る座布団の構成を示す斜視図である。
【図１１】図１０に示す座布団の断面図である。
【図１２】本発明の更に他の実施形態に係る電界利用監視システムの構成を示す図である。
【図１３】本発明の別の実施形態に係る電界利用監視システムの構成を示す図である。
【図１４】本発明の別の実施形態に係る電界利用監視システムの構成を示す図である。
【符号の説明】
１  人間
３，３０，３００  携帯端末
５  床
７  電極
９  トランシーバ付き小型情報端末
１１  パソコン
１３  通信回線
１７  管理センタ
１７ａ，１９ａ，２１ａ  データ処理端末
１９  病院・警察
２１  介護・セキュリティセンタ
２３  隣人、知人、親戚などの携帯電話
２５  ベッド
３１，９０，９１  トランシーバ
３５  便座
４１  小型情報端末
４３  生体センサ
９５  転送装置
１００  カーペット
１０１  布団
１０３  便座カバー
１０４  座布団
１１１  コンピュータ
１３０  生体センサ付き無線トランシーバ
３３０  生体センサ付き人体通信用トランシーバ
【図１】
2005004383.tif 000003
【図２】
2005004383.tif 000004
【図３】
2005004383.tif 000005
【図４】
2005004383.tif 000006
【図５】
2005004383.tif 000007
【図６】
2005004383.tif 000008
【図７】
2005004383.tif 000009
【図８】
2005004383.tif 000010
【図９】
2005004383.tif 000011
【図１０】
2005004383.tif 000012
【図１１】
2005004383.tif 000013
【図１２】
2005004383.tif 000014
【図１３】
2005004383.tif 000015
【図１４】
2005004383.tif 000016